(57)【特許請求の範囲】
【請求項１】
内部に駆動部と制動部とを有するクローザの本体ケースを引戸の上部に内蔵するとともに、上記駆動部から引戸の開扉方向に導出されて上記引戸を収容する建物の開口部の上部に固定される駆動ワイヤを備えたクローザ内蔵型引戸において、
上記引戸を上記開口部の鴨居の溝に沿って摺動する戸首を備えた下戸車式引戸とし、上記本体ケースの上部に上記戸首と略同じ厚さの戸首部を形成した
ことを特徴とするクローザ内蔵型引戸。
【請求項２】
上記本体ケースの上部には、閉扉時に上記鴨居の溝に取り付けられた上記駆動ワイヤの先端の固定フックを収容する凹部を形成したことを特徴とする、請求項１に記載クローザ内蔵型引戸。
【請求項３】
上記本体ケースは引戸上部の中間部に内蔵され、上記本体ケースから駆動ワイヤが引き出される側の引戸上部の戸首には、閉扉時に上記鴨居の溝に取り付けられた上記駆動ワイヤの先端の固定フックを収容する凹部を形成したことを特徴とする、請求項１に記載クローザ内蔵型引戸。
【発明の詳細な説明】
【技術分野】
【０００１】
本発明は、クローザを内蔵する引戸に関し、詳しくは小さな力で開扉でき、かつ開扉された引戸を自動的に閉扉させることができるクローザ内蔵型引戸に関する。
【背景技術】
【０００２】
一般に、この種のクローザには、駆動ワイヤを巻き付けたリールと、リールを回転させるゼンマイとを内蔵する駆動部と、ダンパー機構を有する制動部とが設けられ、これら駆動部と制動部とを本体ケースに配置している。通常は本体ケースを引戸の上部に固定し、本体ケースから導出された駆動ワイヤの端部（のフック）を開口部枠に取り付けるタイプのものが多いが、クローザを引戸に内蔵させたタイプのものも知られている。
【０００３】
これらは、ガイドレール側にラックを設け、本体ケースに設けられた駆動歯車とを噛合させることにより、開扉時には自閉力を蓄力し、制動用ダンパの抵抗に抗して閉扉されるように構成されている（特許文献１及び２参照）。
【０００４】
また、引戸と同期して回動するゼンマイを内蔵した駆動部と遠心ブレーキで構成した制動部に各々駆動ワイヤを巻き回し、開閉方向に導出され、その端部は各々壁部に高低され、開扉時に駆動部側ゼンマイに自閉力を蓄力させ、制動部の遠心ブレーキの抵抗に抗して閉扉されるように構成されている（特許文献３参照）。
【特許文献１】特開２００５−０５４４８３公報
【特許文献２】特開２００１−３３６３４６公報
【特許文献３】特開平１１−２７０２２０公報
【発明の開示】
【発明が解決しようとする課題】
【０００５】
しかしながら、上記公知のクローザのようにラックと駆動歯車との構成では、上吊り式引戸を対象としており、ラックと駆動歯車とは常に噛合しているため、下戸車式引戸には適用することができなかった。
【０００６】
また、ラックをガイドレールの下面に配設する場合は、ラックが露出するため外観を損ねる。
【０００７】
さらに、駆動ワイヤの引き出し、巻き戻しによるクローザでは駆動ワイヤが露出し、開扉時には開口部を通過するとき、露出した駆動ワイヤに引っかかる危険があり、外観も損なう。
【０００８】
本発明は上記問題点を解消し、下戸車式引戸に対応し、駆動ワイヤを露出させず、引戸の外観を損ねることのないクローザ内蔵型引戸を提供することをその課題とする。
【課題を解決するための手段】
【０００９】
上記課題を解決するため、請求項１に係る発明は、内部に駆動部と制動部とを有するクローザの本体ケースを引戸の上部に内蔵するとともに、上記駆動部から引戸の開扉方向に導出されて上記引戸を収容する建物の開口部の上部に固定される駆動ワイヤを備えたクローザ内蔵型引戸において、
上記引戸を上記開口部の鴨居の溝に沿って摺動する戸首を備えた下戸車式引戸とし、上記本体ケースの上部に上記戸首と略同じ厚さの戸首部を形成したことを特徴とする。
【００１０】
請求項２に係る発明は、上記本体ケースの上部には、閉扉時に上記鴨居の溝に取り付けられた上記駆動ワイヤの先端の固定フックを収容する凹部を形成したことを特徴とする。
【００１１】
請求項３に係る発明は、上記本体ケースは引戸上部の中間部に内蔵され、上記本体ケースから駆動ワイヤが引き出される側の引戸上部の戸首には、閉扉時に上記鴨居の溝に取り付けられた上記駆動ワイヤの先端の固定フックを収容する凹部を形成したことを特徴とする。
【発明の効果】
【００１２】
請求項１に係る発明によれば、本体ケースには駆動部とともに制動部が設けられているので、本体ケースの外部に制動用の歯車とラックレールを設ける必要がなく、下戸車式引戸でも十分に自閉作動させることができる。しかも、既存の開口枠や鴨居を交換又は追加工等をすることなく、引戸の交換のみでクローザ内蔵型引戸を設置することができる。
【００１３】
また、クローザの本体ケースが引戸に内蔵されるとともに、引戸に内蔵された本体ケースの上部の戸首部の厚さを引戸の戸首と略同じとしたので、上記戸首部から駆動ワイヤを導出させ、この駆動ワイヤの先端を鴨居の溝内に取り付けることにより、駆動ワイヤは上記溝内に張設されることになり、外部に直接には露出しないので、クローザ取り付けによる引戸の外観を損ねることがない。
【００１４】
さらに、クローザを内蔵する場合であっても、引戸の戸首部の下に収納固定する構成では、引戸のクローザに対応する部位は戸首が欠けるので、そこから光が漏れ、体裁がよくないが、クローザには引戸の戸首と連続する戸首部が形成され、戸首とクローザとが一体となり、隙間ができないため、光漏れがなく、内観体裁が損なわれないだけでなく、引戸のブレも防止され、安定した引戸走行を確保できる。
【００１５】
さらに、クローザの上部が鴨居の溝内に納まるため、駆動ワイヤの引き出し位置も溝内に配置することができる。したがって、開扉して通過するときに駆動ワイヤが直接に人目に触れることはないので、露出した駆動ワイヤに引っかかる危険はなく、安全であり、開口部の外観も損なわない。
【００１６】
請求項２及び請求項３に係る発明によれば、鴨居の溝に取り付けられた上記駆動ワイヤの先端の固定フックを収容する溝が形成されているので、閉扉時に上記固定フックと引戸とが干渉することがなく、スムーズに閉扉できる。
【発明を実施するための最良の形態】
【００１７】
以下、本発明の実施形態を図に基づいて説明する。
【００１８】
図１（ａ）（ｂ）はクローザ内蔵型引戸１の開扉時と閉扉時の正面図で、引戸１の上部にはクローザ２の本体ケース３が内蔵されるとともに、本体ケース３内に収納された駆動ワイヤ４が引戸１の戸先側に導出され、上記引戸１を収容する建物の開口部５の上部に固定されている。開扉時には駆動ワイヤ４が繰り出され、引戸１を解放すると駆動ワイヤ４が引き戻されて自動的に閉扉作動するように構成されている。
【００１９】
引戸１は下部に戸車（図示せず）を備えた下戸車式引き戸であり、上端には上記開口部５の上部の鴨居６の溝７内を摺動可能な戸首８が開閉方向に沿って形成されている。そして、引戸１の戸先側の上部角隅部には図１に示されるように、クローザ２の本体ケース３の収納空間Ｓが形成されている。
【００２０】
クローザ２の本体ケース３の内部には駆動部１０と制動部１１とが設けられている。駆動部１０は駆動ワイヤ４を巻装したリール１２とリール１２の内側に配置された駆動ゼンマイ１３とから構成されている。また、制動部１１は外周に歯車１６を形成したロータリーダンパ１４と出力軸１５の外周に配設されたワンウェイクラッチ機構１７により構成されていて、ロータリーダンパ１４の外周に形成された歯車１６は、上記リール１２の裏側に形成された歯車１８に噛合している。これにより、駆動ワイヤ４が繰り出されたときは、駆動ゼンマイ１３が巻き締められて弾性復元力が蓄力され、このときロータリーダンパ１４はワンウェイクラッチ機構１７により出力軸１５と一体に空転するため、制動力は伝達されない。駆動ワイヤ４が解放されると、駆動ゼンマイ１３の蓄力も解放され、その回転力によって駆動ワイヤ４が引き戻されるが、このときロータリーダンパ１４の出力軸１５はワンウェイクラッチ機構１７により係止されるため、制動力が伝達され、リール１２の回転は制動される。
【００２１】
また、図３に示されるように、本体ケース３の上部の厚さは、上記引戸１の戸首８を略同じに形成され、戸首部２０を構成している。そして、上記上部の駆動ワイヤ４導出側には凹部２１が形成され、上記駆動ワイヤ４は上記凹部２１の端部から導出されるように形成されている。本体ケース３の下部には図２に示すように取付ステー２２が突出形成されている。さらに、駆動ワイヤ４の導出側と反対側の側壁には係止溝２３が形成されている。
【００２２】
次に、上記構成のクローザ２を引戸１に取り付けるときは、図２のように、引戸１の収納空間Ｓの底部に略Ｌ字形のブラケット２４をネジ止め固定する。ブラケット２４は、クローザ２が取り付けられたとき、本体ケース３の戸首部２０が引戸１の戸首８と連続するように（図３参照）収納空間Ｓに配置する。ブラケット２４の上部先端部２５は内側に、下部先端部２６は下方にそれぞれ屈曲形成されている。次に、クローザ２の本体ケース３の上記側壁の係止溝２３に上記ブラケット２４の上部先端屈曲部２５を係止させ、同時に本体ケース３の取付ステー２２をブラケット２４の下部先端屈曲部２６に当接させ、取付ステー２２から挿通したネジ２７を上記下部先端屈曲部にネジ止めする。さらに、本体ケース３の引戸１の側端面側にカバー２８を取り付ければよい。カバー２８の上部は本体ケース３の凹部２１と同じ断面となるように形成されている。なお、カバー２８の表面は引戸１の側端面と同じ色調にするのが好ましい。
【００２３】
上記引戸１は図３に示されるように、建物の開口部５の敷居と鴨居６に沿って摺動自在に取り付けられる。このとき、引戸１の戸首８と本体ケース３の上部は鴨居６の溝７内に配置される。また、引戸１に取り付けられたクローザ２から駆動ワイヤ４を引き出し、その先端を上記溝７の端部の上底部に固定された固定フック３０に係止する。
【００２４】
上記構成によれば、図１（ａ）の閉扉状態から同図（ｂ）のように引戸１を開くと、開扉作動時にクローザ２の駆動ワイヤ４は本体ケース３から引き出されるので、駆動部１０のゼンマイが巻き締められる。引戸１を解放すると、ゼンマイの弾性復元力により駆動ワイヤ４は本体ケース３内に引き込まれるので、引戸１は閉扉方向に移動する。このとき、この移動速度が加速されないように、制動部１１のロータリーダンパ１４が働き、抑制された速度で移動する。最後に、引戸１の端面が開口部５の側面（戸先枠）に当って停止するが、開口部５の端部に設けられた固定フック３０は本体ケース３の凹部２１内に収容されるので、引戸１が固定フック３０と干渉しあうことはない。
【００２５】
上述のように、本体ケース３には駆動部１０とともに制動部１１が設けられているので、本体ケース３の外部に制動用の歯車とラックレールを設ける必要がなく、下戸車式引戸１でも十分に自閉作動させることができる。しかも、既存の開口枠や鴨居６を交換又は追加工等をすることなく、引戸１の交換のみでクローザ２内蔵型引戸１を設置することができる。
【００２６】
また、クローザ２の本体ケース３が引戸１に内蔵されるとともに、引戸１に内蔵された本体ケース３の上部の戸首部２０の厚さを引戸１の戸首８と略同じとしたので、上記戸首部２０から駆動ワイヤ４を導出させ、この駆動ワイヤ４の先端を鴨居６の溝７内に取り付けることにより、駆動ワイヤ４は上記溝７内に張設されることになり、外部に直接には露出しないので、クローザ２取り付けによる引戸１の外観を損ねることがない。
【００２７】
さらに、クローザ２を内蔵する場合であっても、引戸１の戸首部２０の下に収納固定する構成では、引戸１のクローザ２に対応する部位は戸首８が欠けるので、そこから光が漏れ、体裁がよくないが、クローザ２には引戸１の戸首８と連続する戸首部２０が形成され、戸首８とクローザ２とが一体となり、隙間ができないため、光漏れがなく、内観体裁が損なわれないだけでなく、引戸１のブレも防止され、安定した引戸走行を確保できる。
【００２８】
さらに、クローザ２の上部が鴨居６の溝７内に納まるため、駆動ワイヤ４の引き出し位置も溝内に配置することができる。したがって、開扉して通過するときに駆動ワイヤ４が直接に人目に触れることはないので、露出した駆動ワイヤ４に引っかかる危険はなく、安全であり、開口部５の外観も損なわない。
【００２９】
なお、クローザ２の本体ケース３の厚さを、図４に示すように、引戸１の戸首８と同じ厚さにすれば、本体ケース３にわざわざ戸首部２０を形成する必要はない。
【００３０】
引戸１の戸首８は引戸１上端面の中央部に形成されているとは限らない。図５に示されるように、引戸１上端面の一側の片寄り位置に形成されている場合もある。この場合は、クローザ２の本体ケース３の収納空間Ｓも引戸１の裏面に開口させ、ここに本体ケース３を固定し、上記戸首８に戸首部２０を連続させればよい。
【００３１】
なお、同図において図３と同じ符号は同じ部材を示す。
【００３２】
次に、図６は他の実施形態を示すもので、本体ケース３は引戸１上部の中間部にクローザ２の本体ケース３の収納空間Ｓが形成され、この収納空間Ｓに本体ケース３が収納固定されている。そして、本体ケース３から駆動ワイヤ４が引き出される側の引戸１上部の戸首８には、閉扉時に上記鴨居６の溝７に取り付けられた上記駆動ワイヤ４の先端の固定フック３０を収容する凹部３１が形成されている。
【００３３】
なお、上記本体ケース３にも戸首部２０が形成されている。
【００３４】
上記構成によれば、クローザ２は戸首部２０を除き全く外部からは見えない状態となり、戸首部２０もほとんど目立たないから、引戸１の外観はほとんど変わらないのに自閉走行機能を持たせることができる。
【００３５】
また、クローザ２の上部が鴨居６の溝７内に納まるため、駆動ワイヤ４の引き出し位置も溝７内に配置することができる。したがって、開扉して通過するときに駆動ワイヤ４が直接に人目に触れることはないので、露出した駆動ワイヤ４に引っかかる危険はなく、安全であり、開口部５の外観も損なわない。
【００３６】
さらに、閉扉時には引戸１の端面が開口部５の側面（戸先枠）に当って停止するが、開口部５の端部に設けられた固定フック３０は引戸１の凹部３１内に収容されるので、引戸１が固定フック３０と干渉しあうことはない。
【図面の簡単な説明】
【００３７】
【図１】（ａ）（ｂ）は本発明に係るクローザ内蔵型引戸の開閉態様説明図である。
【図２】クローザの取付態様を示す拡大断面図である。
【図３】クローザの本体ケースの取付状態を示す斜視図である。
【図４】他の形態の本体ケースの取付状態を示す斜視図である。
【図５】さらに他の形態の本体ケースの取付状態を示す斜視図である。
【図６】さらに別の形態の本体ケースの取付状態を示す斜視図である。
【符号の説明】
【００３８】
１    引戸
２    クローザ
３    本体ケース
４    駆動ワイヤ
６    鴨居
７    溝
８    戸首
２０    戸首部
【図１】
0004590338.tif 000002
【図２】
0004590338.tif 000003
【図３】
0004590338.tif 000004
【図４】
0004590338.tif 000005
【図５】
0004590338.tif 000006
【図６】
0004590338.tif 000007